(57)【特許請求の範囲】
【請求項１】
固定体に対してパネル体を取り付けるべく、前記パネル体と前記固定体との間に設けられるパネル取付具であって、
前記固定体および前記パネル体の一方に固定された固定部材と、
前記固定体および前記パネル体の他方に水平方向に延設されたガイド手段と、
前記ガイド手段に摺動可能に支持された基部と、前記基部に突設され、前記基部の摺動方向において前記基部よりも短く形成された第１ガイド壁とを備えた可動部材と
を有し、
前記固定体に対して前記パネル体を取り付ける際に、前記パネル体を前記固定体側に押し付けることによって前記固定部材と前記基部とが当接し、前記パネル体が前記固定体に仮止めされた状態が形成され、この状態から前記可動部材が前記ガイド手段に対して摺動させられることによって、前記第１ガイド壁と前記固定部材とが係合することを特徴とするパネル取付具。
【請求項２】
前記可動部材は、前記基部の前記第１ガイド壁と前記ガイド手段が延設された前記固定体または前記パネル体との間に突設され、前記基部の摺動方向において前記第１ガイド壁よりも長く形成された第２ガイド壁を備えることを特徴とする、請求項１に記載のパネル取付具。
【請求項３】
前記可動部材を摺動操作すべく前記パネル体の端縁からアクセス可能な操作片が前記可動部材に設けられていることを特徴とする請求項１または請求項２に記載のパネル取付具。
【請求項４】
前記可動、固定両部材は、左右いずれの側からも係合・離脱可能なように左右対称形をなしていることを特徴とする請求項１〜請求項３のいずれかの項に記載のパネル取付具。
【請求項５】
固定体に対してパネル体を取り付けるべく、前記パネル体と前記固定体との間に設けられるパネル取付具であって、
互いに直線摺動して係合・離脱可能に組み合わされる可動部材および固定部材と、
前記可動、固定両部材のいずれか一方に設けられた受容部に支持されると共に他方に設けられた当接面に当接して該可動、固定両部材の前記パネル体および前記固定体に対する取付面同士間の寸法を規定するアジャスタ部材とを有し、
前記アジャスタ部材は、前記受容部の内面に対応する面と前記当接面に対応する面との間隔が互いに異なる多角形をなしており、該アジャスタ部材の向きを変えることによって前記可動、固定両部材の前記パネル体および前記固定体に対する取付面同士間の寸法が変化するようにしてなることを特徴とするパネル取付具。
【発明の詳細な説明】
【０００１】
【発明の属する技術分野】
本発明は、固定体に対してパネル体を取り付けるためのパネル取付具に関するものである。
【０００２】
【従来の技術】
一般住宅用の浴槽は、その上縁及び内面のみの表面が、合成樹脂や人工大理石などで見栄え良く加工されている。またその縁の高さを洗い場の床面よりも高くして設置されており、特にシステムバスの場合、浴槽における洗い場側に面する部分は、浴室の壁面や浴槽のデザインに合わせて形成されたパネル体によって隠蔽されることが一般的である。
【０００３】
さて、このようなパネル体の取付構造として、従来、パネル体の内面の下端に差込金具を設けると共に、浴槽の底部外面に挟持体を設け、浴槽の上縁の内側にパネル体の上端を嵌め込んだ状態で、パネル体の下端を浴槽側に押しつけることによって差込金具を挟持体に挟み込ませるようにしたものが知られている（実開平４−５１２８９号公報参照）。
【０００４】
【発明が解決しようとする課題】
しかるに、上記従来の構造にあっては、差込金具を挟持する挟持体の弾発力にのみパネル体の保持力を依存することから、脱却可能とするには保持力を低く設定しなければならないなど、保持力を適切に設定することが困難であった。また挟持体の経年劣化などを考慮すると、長期に亘って初期の保持力を維持することは困難であり、その信頼性にも問題があった。
【０００５】
また、挟持体と差込金具との相対位置精度が低いと、所望の保持力が得られなくなるばかりでなく、場合によっては組み立てが不能となるので、挟持体と差込金具との上下位置の調節手段が不可欠であり、上記公報には、上下方向の長孔を介して挟持体をねじ止めすることでその上下位置を調節可能とした構造が開示されている。
【０００６】
しかしながら、上記長孔による調節構造は、差込金具を挟持体に合わせる作業自体がブラインド作業となるため、誤差があった場合、どの程度の修正をしなければならないかの判断を下すことが困難であった。
【０００７】
本発明は、上記のような従来技術の問題点を解消すべく案出されたものであり、その第１の目的は、十分な保持力が確保でき、しかも脱却が比較的容易に行えるように構成されたパネル取付具を提供することにある。またその第２の目的は、固定体とパネル体との相対位置誤差を容易に修正することができるように構成されたパネル取付具を提供することにある。
【０００８】
上記第１の目的を達成するために、本願請求項１の発明は、固定体（実施の形態中の固定壁４）に対してパネル体（７）を取り付けるべく、前記パネル体と前記固定体との間に設けられるパネル取付具（１１）であって、前記固定体および前記パネル体の一方に固定された固定部材（１６）と、前記固定体および前記パネル体の他方に水平方向に延設されたガイド手段（１０）と、前記ガイド手段に摺動可能に支持された基部（実施の形態中の挟持部１３）と、前記基部に突設され、前記基部の摺動方向において前記基部よりも短く形成された第１ガイド壁（１７）とを備えた可動部材（１２）とを有し、前記固定体に対して前記パネル体を取り付ける際に、前記パネル体を前記固定体側に押し付けることによって前記固定部材と前記基部とが当接し、前記パネル体が前記固定体に仮止めされた状態が形成され、この状態から前記可動部材が前記ガイド手段に対して摺動させられることによって、前記第１ガイド壁と前記固定部材とが係合することを特徴とする。
【０００９】
このようにすれば、パネル体の着脱方向と、取付具の係合・離脱方向とが、互いに異なる方向となるので、固定体に対するパネル体の十分な保持力と脱却容易性とを両立させることができる。
【００１０】
また本願請求項２の発明は、第１の発明において、前記可動部材は、前記基部の前記第１ガイド壁と前記ガイド手段が延設された前記固定体または前記パネル体との間に突設され、前記基部の摺動方向において前記第１ガイド壁よりも長く形成された第２ガイド壁（１８）を備えることを特徴とする。また本願請求項３の発明は、可動部材を摺動操作すべくパネル体の下端縁からアクセス可能な操作片（２２）を可動部材に設けるものとした。これによれば、パネル体の外方から簡単に可動部材を固定部材に対して係合・離脱させることができる。
【００１１】
さらに本願請求項４の発明においては、前記可動、固定両部材が、左右対称形をなし、左右いずれの側からも係合・離脱可能であるものとした。これによれば、左右勝手違いに対しても共通の部品で対応することができる。
【００１２】
そして上記第２の目的を達成するために、本願請求項５の発明においては、固定体に対してパネル体を取り付けるべく、パネル体と固定体との間に設けられるパネル取付具を、互いに直線摺動して係合・離脱可能に組み合わされる可動部材および固定部材と、可動、固定両部材のいずれか一方に設けられた受容部（実施の形態中の箱状部２５）に支持されると共に他方に設けられた当接面（挟持部１３の下面）に当接して該可動、固定両部材のパネル体および固定体に対する取付面同士間の寸法を規定するアジャスタ部材（２９）とを有し、前記アジャスタ部材は、受容部の内面に対応する面と当接面に対応する面との間隔が互いに異なる（Ａ＞Ｂ＞Ｃ＞Ｄ）多角形をなしており、該アジャスタ部材の向きを変えることによって可動、固定両部材のパネル体および固定体に対する取付面同士間の寸法が変化するようにしてなることを特徴とするものとした。
【００１３】
このようにすれば、アジャスタ部材の向きを変えるだけで固定体とパネル体との相対位置誤差を容易に修正することができる。
【００１４】
【発明の実施の形態】
以下、添付の図面を参照して本発明について詳細に説明する。
【００１５】
図１並びに図２は、本発明の適用部位であるシステムバスに於ける浴槽の側壁の一部を示している。浴槽１は、その開口面に形成された外向フランジ２が、洗い場の床板３の上面から立ち上げられて直立する固定体としての固定壁４の上端縁４ａに引掛けられている。また外向フランジ２には、その外端縁を下向きに折り曲げることによって垂下部５が形成されている。
【００１６】
床板３と固定壁４との間には、断面形状がクランク状をなすように折曲形成された段部６が、床板３の上面からやや高い位置に設けられている。そして段部６と外向フランジ２との間が、パネル体７で覆われるようにされている。
【００１７】
パネル体７の上端には、断面形状がクランク状をなす段部８が形成されると共に、その最上面の内縁部に板ばね９が固定されている。そしてパネル体７は、板ばね９の遊端を固定壁４の上端部外面に弾圧させ、かつ段部８の外面を外向フランジ２の垂下部５の内面に当接させることにより、その上端を浴槽１の外向フランジ２に係合させるようになっている。
【００１８】
パネル体７の下端縁近傍の内面には、水平方向に延在するガイドリブ１０が形成されている。このガイドリブ１０には、本発明による取付具１１の一方を構成する可動部材１２が、その上部に形成された断面形状がコ字状をなす挟持部１３で挟むようにして取り付けられている。
【００１９】
可動部材１２は、図３並びに図４に示したように、左右対称形に形成されており、その挟持部１３には、パネル体７の一般面に平行な長孔１４が形成されている。この長孔１４とガイドリブ１０の適所に形成された丸孔１５とに樹脂クリップＣＬを矢印Ａ（図３）の向きに貫通させることにより、所定範囲を摺動可能なるようにガイドリブ１０に可動部材１２が結合している。
【００２０】
可動部材１２の挟持部１３の下面には、後記する取付具１１の他方を構成する固定部材１６の前後両面を挟むように、前後一対のガイド壁１７・１８が垂下されている。これらのガイド壁１７・１８は、図４に併せて示されるように、パネル体７から遠い側の内側ガイド壁１７の方が、パネル体７に近い側の外側ガイド壁１８に比して左右方向寸法を短くされ、且つその外面に適宜に設けられたリブ１９で補強されている。また、内側ガイド壁１７の内面の左右方向中央には、リブ状のストッパ突起２０が垂直方向に延設され、外側ガイド壁１８の内面には、断面形状がＶ字形をなす左右一対の突条２１が垂直方向に延設されている。そして外側ガイド壁１８の下縁の左右方向中央には、操作片２２が垂設されている。
【００２１】
他方、床板３と固定壁４との間の段部６の上面には、上記可動部材１２の前後一対のガイド壁１７・１８間に係合し得る固定部材１６がビス２３をもって固定されている。この固定部材１６は、段部６の上面に固定されるベース部２４と、ベース部２４の前端に立ち上げられた上面が開口する箱状部２５とからなっている。箱状部２５は、その前後方向厚さが可動部材１２の前後一対のガイド壁１７・１８間の寸法と略等しくされており、その前後面の中央には、Ｖ字溝２６が垂直方向に延設され、その内側の左右方向中央の底面には、垂直方向の突片２７が形成され、その左右両外端部には、テーパ状に先細りになったガイド部２８が形成されている。
【００２２】
可動部材１２と固定部材１６との取付位置関係は、床板３と連続した段部６の適宜な位置に固定部材１６が固定されているとした時に、可動部材１２は、図３で見て、左方の初期位置から右方へ所定距離スライド可能であり、初期位置にある状態で、内側ガイド壁１７の右端が固定部材１６の左側ガイド部２８と干渉しないように定められている。なお、これらの取付具１１は、パネル体７の適所に複数箇所設けられている。また、可動部材１２は左右対称形なので、そのスライド方向をいずれの方向に設定しても良いが、混乱のないように規則性をもたせておくことが好ましい。
【００２３】
この状態で、先ずパネル体７の下縁を手前側にしてその上縁を浴槽１の外向きフランジ２に係合させる（段落番号００１７参照）。次にパネル体７の下縁を床板３と固定壁４間の段部６へ向けて押し付ける。すると、外側ガイド壁１８が内側ガイド壁１７より左右方向に出っ張っているので、その出っ張り部分が固定部材１６の箱状部２５の前面に当接し、かつ箱状部２５の上面に可動部材１２の挟持部１３の下面が乗っかって仮止めされる。
【００２４】
この状態で、パネル体７の下縁から可動部材１２の操作片２２が僅かに下向きに突出しているので、この操作片２２を指先で押すなどして可動部材１２を図３上で右方へ移動させる。これにより、両ガイド壁１７・１８間に箱状部２５が受容され、且つ突条２１とＶ字溝２６とが材料自体の弾性で互いに係合する。この時の可動部材１２の移動距離は、可動部材１２の外側ガイド壁１８内面のストッパ突起２０が固定部材１６の左側ガイド部２８の端面に当接することで規定される。
【００２５】
以上のようにして、本発明によれば、パネル体７の着脱方向と取付具１１の係合方向とが互いに異なる方向となっており、このようにすることで、取付具１１の係合時には所望の保持力が得られ、且つ可動部材１２をスライドさせるのみで容易にパネル体７を着脱可能な状態にすることができる。
【００２６】
さて、上記の可動部材１２と固定部材１６とからなる取付具１１は、例えばパネル体７の左右にそれぞれ設けられているが、左右の取付具１１の高さ位置に誤差があると、外向きフランジ２の垂下部５とパネル体７の段部８との間の隙間Ｇ（図１）が不均一となって見栄えが悪くなるので、この隙間Ｇが均一となるように、左右に設けた取付具１１の少なくとも一方にアジャスタを設けるものとしている。
【００２７】
アジャスタ２９は、固定部材１６の箱状部２５内に受容されると共に、可動部材１２の挟持部１３の下面に当接することによってパネル体７の取付高さを調節するものであり、図５に示したように、四角柱状をなすと共にその各側面に深さが互いに異なる（Ａ＞Ｂ＞Ｃ＞Ｄ）溝３０ａ・３０ｂ・３０ｃ・３０ｄが形成されており、箱状部２５の内側に設けられた突片２７にこれらの溝３０ａ・３０ｂ・３０ｃ・３０ｄのいずれか１つを選択的に係合させることにより、その上面の高さ位置を簡単に変化させることができるようになっている。
【００２８】
なお、アジャスタ２９を受容する箱状部２５のパネル体７側の底部には、例えばマイナスドライバなどの先端を突入させることができる程度の切欠部３１が形成されており（図１参照）、段部６に固定された固定部材１６の箱状部２５からアジャスタ２９を取り出す際には、この切欠部３１から突入させたマイナスドライバの先端でアジャスタ２９を押し上げることができるようにされている。
【００２９】
【発明の効果】
以上、詳述した通り、本発明の請求項１によるパネル取付具によれば、パネル体及び固定体に設けられた係合部材の一方（可動部材）を、パネル体の縁に沿って、即ち固定体（浴槽）に対するパネル体の着脱方向と略直交する方向に、スライドさせることにより、係合部材の他方（固定部材）と係合・離脱する構造としたので、製造精度や組付精度をさほど高くしなくても、初期の保持力が経年劣化せずに長期間に亘って維持され、しかも、パネル体の脱却時に要する力が小さくて済むので、高い着脱作業性が得られる。
【００３０】
特に、パネル体の下端縁からアクセス可能な操作片を可動部材に設けるものとすれば、パネル体の外方から簡単に可動部材を固定部材に対して係合・離脱させることができ、また、可動、固定両部材が、左右対称形をなし、左右いずれの側からも係合・離脱可能であるものとすれば、左右勝手違いに対しても共通の部品で対応することができる。
【００３１】
そして本発明の請求項４のアジャスタによれば、係合部材の一方に設けられた当接面に対応する面と、係合部材の他方に設けられた受容部の内面に対応する面との間隔が互いに異なる多角形をなし、該アジャスタの向きを変えることによって係合部材のパネル体および固定体に対する取付面同士間の寸法が変化するようにしたので、アジャスタの向きを変えるだけで高さ位置の調節を簡単に行うことができる。
【図面の簡単な説明】
【図１】本発明が適用されたシステムバスに於ける浴槽とパネル体との結合部の縦断面図
【図２】本発明が適用されたシステムバスに於ける浴槽の一部を切除して示す斜視図
【図３】本発明による取付具の斜視図
【図４】本発明による取付具の図１中のIV−IV線に沿う断面図
【図５】本発明によるアジャスタの正面図
【符号の説明】
４  固定壁
７  パネル体
１０  ガイドリブ
１１  取付具
１２  可動部材
１６  固定部材
２２  操作片
２５  箱状部
２９  アジャスタ
【図１】
0004455774.tif 000002
【図２】
0004455774.tif 000003
【図３】
0004455774.tif 000004
【図４】
0004455774.tif 000005
【図５】
0004455774.tif 000006